(57)【要約】【課題】建築材を施工後の外観は全体としてランダムなテクスチャパターンの配列に見えるとともに、隣接建築材にまたがるテクスチャに連続性がある表面柄を有する建築材並びに該建築材の建築材設計支援システム及びプログラムを提供すること。【解決手段】隣接建築材にまたがる第１凸部♯Ａ1L、♯Ａ1R、♯Ａ2L、♯Ａ2Rのテクスチャを各建築材に共通の所定のものにして、他の第２凸部♯ａ1〜♯ａ22のテクスチャを各建築材ごとに異なるランダムな配設にした建築材及び該建築材設計支援システム。【選択図】図１
2006233471.tif 000002
【特許請求の範囲】
【請求項１】
島状の凸部とそれらの間の目地部とからなり、その凸部は隣接建築材にまたがる第１凸部と周囲を目地部に囲まれている第２凸部からなる、表面柄を有する建築材の表面柄を設計支援する建築材設計支援システムであって、
凸部と目地部の配置に関する表面柄パターンデータを記憶する表面柄パターンデータファイルと、
凸部の質感を表す同系統の複数のテクスチャパターンからなるテクスチャパターン群を記憶するテクスチャパターンデータファイルと、
前記表面柄パターンデータファイルに記憶されている表面柄パターンの１つを選択して読み出す表面柄パターン選択手段と、
前記テクスチャパターンデータファイルに記憶されているテクスチャパターン群の１つを選択して読み出すテクスチャパターン群選択手段と、
前記表面柄パターン選択手段によって選択読出しした表面柄パターンの第１凸部に前記テクスチャパターン群選択手段によって選択読出ししたテクスチャパターン群の中のすべての建築材に共通の所定のテクスチャパターンを割り当て、第２凸部に該テクスチャパターン群の中からランダムなテクスチャパターンを割り当てる画像合成手段と、
該画像合成手段によってテクスチャパターンが表面柄パターンに割り当てられた表面柄を表示する表示手段と
を備えることを特徴とする建築材設計支援システム。
【請求項２】
島状の凸部とそれらの間の目地部とからなり、その凸部は隣接建築材にまたがる第１凸部と周囲を目地部に囲まれている第２凸部からなる、表面柄を有する建築材であって、
第１凸部は、すべての建築材で共通のテクスチャを有し、第２凸部は、建築材ごとに異なるランダムな配列のテクスチャを有することを特徴とする複数の建築材。
【請求項３】
コンピュータを、
島状の凸部とそれらの間の目地部とからなり、その凸部は隣接建築材にまたがる第１凸部と周囲を目地部に囲まれている第２凸部からなる、表面柄を有する建築材の表面柄を設計支援する建築材設計支援システムであって、凸部と目地部の配置に関する表面柄パターンデータを記憶する表面柄パターンデータファイルと、凸部の質感を表す同系統の複数のテクスチャパターンからなるテクスチャパターン群を記憶するテクスチャパターンデータファイルと、前記表面柄パターンデータファイルに記憶されている表面柄パターンの１つを選択して読み出す表面柄パターン選択手段と、前記テクスチャパターンデータファイルに記憶されているテクスチャパターン群の１つを選択して読み出すテクスチャパターン群選択手段と、前記表面柄パターン選択手段によって選択読出しした表面柄パターンの第１凸部に前記テクスチャパターン群選択手段によって選択読出ししたテクスチャパターン群の中のすべての建築材に共通の所定のテクスチャパターンを割り当て、第２凸部に該テクスチャパターン群の中からランダムなテクスチャパターンを割り当てる画像合成手段と、該画像合成手段によってテクスチャパターンが表面柄パターンに割り当てられた表面柄を表示する表示手段とを備える建築材設計支援システム
として機能させるためのプログラム。
【発明の詳細な説明】
【技術分野】
【０００１】
本発明は、建物の外壁部や屋根部に施工される外壁板や屋根材等の建築材のデザインを設計支援する建築材設計支援システム、建築材及びプログラムに関し、特に、建築材の施工後の外観が全体としてランダムなテクスチャパターンの配列に見えるとともに、隣接建築材にまたがるテクスチャに連続性を持たせることができる建築材設計支援システム、建築材及びプログラムに関する。
【背景技術】
【０００２】
従来、建物外観をシミュレートする家屋コーディネート支援システムとして、いくつかの建物外観パターンと、その外壁部や屋根部に施工される外壁板や屋根材等の建築材の外観パターンを用意しておき、モニタ画面上に表示した所定の建物外観パターンに対して、選択したいくつかの建築材の外観パターンを貼り付けていくことにより、建物の外壁部や屋根部の施工が行われた状態、すなわち、建物外観をシミュレートするものがある（例えば、特許文献１、２参照）。
【０００３】
そこで貼り付けていく外壁板や屋根材等の建築材の外観パターンは、既存商品群の中から選択された個々の商品の平面画像データであり、それらを拡大、縮小、回転などの画像処理を施して、所定の建物外観パターンに貼り付けるようになっている。具体的に個々の建築材の外観パターンとしては、例えば、凸部と目地部の区割り状態が示された表面柄と、凸部の質感を表現するテクスチャと、そのカラー情報等が統合された１つの平面画像データが使用される。ここでの貼り付けに使用される平面画像データは、固定データである。
【０００４】
また、外壁板や屋根材などの建築材自体のデザインを設計支援する建築材設計支援システムとして、同じくモニタを使用して、画面上において、使用される建築材の外観パターンを設計するものがある（例えば、特許文献３参照）。そこでは、表面柄と前記テクスチャとを統合した概念をテクスチャとして取り扱い、そのカラー情報を変化させるようにしているので、所定の表面柄に対して、テクスチャが同じ場合でも、異なった様相の外観パターンを設計することができる。すなわち、ここでの貼り付けに使用される平面画像データは、所定のカラー情報が付加された変動データである。
【特許文献１】特許第３００２６６６号公報
【特許文献２】特許第３００２６７０号公報
【特許文献３】特許第３０２３３５２号公報
【発明の開示】
【発明が解決しようとする課題】
【０００５】
例えば、積み上げたレンガブロックを見立てた模様を有する従来の建築材は、各建築材のテクスチャ配列が同じであるために、施工後の外観に模様の繰返しが見えてしまい単調なものであった。そこで、自然な風合いを醸しだすために、各建築材のテクスチャ配列を建築材ごとに異なるランダムなものにすることが考えられるが、そうすると、隣接建築材にまたがるテクスチャが建築材のつなぎ目で不連続となってしまい、不自然なものとなってしまう。
【０００６】
本発明は、上記問題点に鑑み、建築材を施工後の外観は全体としてランダムなテクスチャパターンの配列に見えるとともに、隣接建築材にまたがるテクスチャに連続性がある表面柄を有する建築材並びに該建築材の建築材設計支援システム及びプログラムを提供することを目的とする。
【課題を解決するための手段】
【０００７】
本発明の建築材設計支援システムは、島状の凸部とそれらの間の目地部とからなり、その凸部は隣接建築材にまたがる第１凸部と周囲を目地部に囲まれている第２凸部からなる、表面柄を有する建築材の表面柄を設計支援する建築材設計支援システムであって、凸部と目地部の配置に関する表面柄パターンデータを記憶する表面柄パターンデータファイルと、凸部の質感を表す同系統の複数のテクスチャパターンからなるテクスチャパターン群を記憶するテクスチャパターンデータファイルと、前記表面柄パターンデータファイルに記憶されている表面柄パターンの１つを選択して読み出す表面柄パターン選択手段と、前記テクスチャパターンデータファイルに記憶されているテクスチャパターン群の１つを選択して読み出すテクスチャパターン群選択手段と、前記表面柄パターン選択手段によって選択読出しした表面柄パターンの第１凸部に前記テクスチャパターン群選択手段によって選択読出ししたテクスチャパターン群の中のすべての建築材に共通の所定のテクスチャパターンを割り当て、第２凸部に該テクスチャパターン群の中からランダムなテクスチャパターンを割り当てる画像合成手段と、該画像合成手段によってテクスチャパターンが表面柄パターンに割り当てられた表面柄を表示する表示手段とを備えることを特徴とする。
【０００８】
また、本発明の複数の建築材は、島状の凸部とそれらの間の目地部とからなり、その凸部は隣接建築材にまたがる第１凸部と周囲を目地部に囲まれている第２凸部からなる、表面柄を有する建築材であって、第１凸部は、すべての建築材で共通のテクスチャを有し、第２凸部は、建築材ごとに異なるランダムな配列のテクスチャを有することを特徴とする。
【０００９】
また、本発明は、島状の凸部とそれらの間の目地部とからなり、その凸部は隣接建築材にまたがる第１凸部と周囲を目地部に囲まれている第２凸部からなる、表面柄を有する建築材の表面柄を設計支援する建築材設計支援システムであって、凸部と目地部の配置に関する表面柄パターンデータを記憶する表面柄パターンデータファイルと、凸部の質感を表す同系統の複数のテクスチャパターンからなるテクスチャパターン群を記憶するテクスチャパターンデータファイルと、前記表面柄パターンデータファイルに記憶されている表面柄パターンの１つを選択して読み出す表面柄パターン選択手段と、前記テクスチャパターンデータファイルに記憶されているテクスチャパターン群の１つを選択して読み出すテクスチャパターン群選択手段と、前記表面柄パターン選択手段によって選択読出しした表面柄パターンの第１凸部に前記テクスチャパターン群選択手段によって選択読出ししたテクスチャパターン群の中のすべての建築材に共通の所定のテクスチャパターンを割り当て、第２凸部に該テクスチャパターン群の中からランダムなテクスチャパターンを割り当てる画像合成手段と、該画像合成手段によってテクスチャパターンが表面柄パターンに割り当てられた表面柄を表示する表示手段とを備える建築材設計支援システムとして機能させるためのプログラムである。
【発明の効果】
【００１０】
本発明によれば、建築材の表面柄は、施工後の外観が全体としてランダムなテクスチャパターンの配列に見えるとともに、隣接建築材にまたがるテクスチャに連続性を持たせることができる。
【発明を実施するための最良の形態】
【００１１】
以下、添付図面を参照しながら本発明を実施するための最良の形態について詳細に説明する。
【実施例】
【００１２】
図１は、本発明の一実施例による建築材設計支援システムで設計された外壁板外観の表示例を示す図である。図１(a)は、長尺外壁板＃１〜＃９を左右方向に３列、上下方向に３列施工した状態を表示しており、外壁部の想定施工外観が検討できるようにしている。これにより隣の外壁板にまたがった柄のつながり具合を見ることができる。図１(b)は、その内の１つの外壁板（ここでは外壁板♯５）の詳細を説明するものである。
【００１３】
外壁板単位の表面柄ユニットＣＵは、積み上げたレンガブロックを見立てた模様である、島状の凸部とそれらの間の目地部とからなる表面柄を有し、その凸部は、隣接外壁板にまたがる第１凸部♯Ａ1L、♯Ａ1R、♯Ａ2L、♯Ａ2Rと、その外壁板の中にすべてが存在する第２凸部♯ａ1〜♯ａ22からなる。第１凸部♯Ａ1L、♯Ａ1R、♯Ａ2L、♯Ａ2Rは第２凸部♯ａ1〜♯ａ22の半分の大きさであり、そのテクスチャパターンは隣接する外壁板の対応するテクスチャパターンと合わせて第２凸部のテクスチャパターンと同じ大きさになる。そして、例えば左端の第１凸部♯Ａ1Lと右端の第１凸部♯Ａ1Rとは、施工された際にあたかも両者を合わせて１つの凸部であるかのように見えるように連続したテクスチャパターンとして設計する。さらに、これら第１凸部♯Ａ1L、♯Ａ1R、♯Ａ2L、♯Ａ2Rのテクスチャパターンはすべての外壁板を通じて同一にする。すなわち、例えば第１凸部♯Ａ1Lと第１凸部♯Ａ2Lとは必ずしも同一ではないが、例えば第１凸部♯Ａ1Lについて見ると、すべての外壁板を通じて同一のテクスチャパターンとなるようにする。このため、この部分だけに注目するとテクスチャパターンは規則的に配列されていることになるが、他の第２凸部♯ａ1〜♯ａ22のテクスチャパターンをランダムに配列すると、施工後の外壁部を全体として見た目にはすべての凸部がランダムに配列されているように見えることになる。
【００１４】
このように、何枚かの外壁板の凸部のテクスチャパターンを設計するに際して、まず、第１凸部のテクスチャパターンを決定して、これをすべての外壁板に共通のものとし、つぎに、第２凸部に外壁板ごとにランダムにテクスチャパターンを割り当てることで、これらの外壁板を施工後の外壁部の外観は第１凸部において隣接外壁板と連続した自然な表面柄が得られるとともに、全体としては各凸部にランダムなテクスチャパターンが配列されているように見せることができる。
【００１５】
図２は、本発明の一実施例による建築材設計支援システムで設計した１枚の外壁板の例を示す図である。この場合は、レンガブロックを６段に積み上げた表面柄となっていて、第１凸部はＢ１Ｌ、Ｂ２Ｌ、Ｂ３Ｌ、Ｂ１Ｒ、Ｂ２Ｒ、Ｂ３Ｒの６か所にあり、この第１凸部Ｂ１Ｌ、Ｂ２Ｌ、Ｂ３Ｌ、Ｂ１Ｒ、Ｂ２Ｒ、Ｂ３Ｒはすべての外壁板に共通のものにして、第２凸部は外壁板ごとにテクスチャパターンをランダムに割り当てて配設する。したがって、基本的に同一のテクスチャパターン配列を有する外壁板は２つと存在しないことになる。
【００１６】
図３は、本発明の一実施例による建築材設計支援システムでシミュレートされた外壁板外観の表示例を示す図である。ここでは、外壁板を上下方向に４枚配置した状態を表示しており、外壁部の想定施工外観が検討できるようにしている。
【００１７】
この表示例を見ても分かるように、４枚の外壁板の例えば第１凸部Ｂ１Ｌはすべて同じテクスチャパターンであるが、第２凸部のテクスチャパターンがランダムに配設されているために全体としてテクスチャパターンはランダムに配設されているように見える。しかも、第１凸部はすべての外壁板に共通のテクスチャパターンを配設しているために、外壁板のつなぎ目でテクスチャパターンが不連続となることはない。
【００１８】
図４は、本発明の一実施例による建築材設計支援システムで用いる表面柄パターンの例を示す図である。窯業系（セメント系）外壁板の場合、例えば型板の数の表面柄パターン（Ａ１，Ａ２，Ａ３）が使用される。これらの表面柄パターンを、凸部の区割り画像データ（目地部の幅と位置に関する情報）として記憶しておく。
【００１９】
外壁板をシミュレートする場合には、記憶した複数の表面柄パターンの中から１つの表面柄パターンを選択して使用する。
【００２０】
図５、本発明の一実施例による建築材設計支援システムで用いるテクスチャパターンの例を示す図である。テクスチャパターンは、下地外観と、そこに散在する粒感発現体（その大きさ、形状と、位置情報）の２つの属性情報とからなる画像データ（Ｂ１，Ｂ２，Ｂ３，Ｂ４，Ｂ５，Ｂ６）である。
【００２１】
外壁板をシミュレートする場合には、記憶した同系統の複数種類のテクスチャパターンからなるテクスチャパターン群の中の１つを選択して、そのテクスチャパターン群の中のテクスチャパターンを凸部に割り付ける。
【００２２】
図６、本発明の一実施例による建築材設計支援システムの構成を示す図である。本実施例は、クライアント側に設置されるクライアント装置１０として実現される。クライアント装置１０は、データファイル作成手段１１、データファイル管理手段１２、表面柄パターンデータファイル１３、テクスチャパターンデータファイル１４、目地色パターンデータファイル１５、組合せ参考パターンデータファイル１６、キーボード１７、マウス１８、カラー調製手段１９、画像合成手段２０、システム調製手段２１、発注管理通信手段２２、及びディスプレー４０を備える。
【００２３】
テクスチャパターンデータファイル１４は、同系統の複数種類のテクスチャパターンからなるテクスチャパターン群をいくつか記憶する。ここで、同系統とは、類似の系統を含むものである。
【００２４】
柄見本をデジタルカメラ３０で撮影した画像を取り込んだりして、データファイル作成手段１１は、表面柄パターンデータファイル１３、テクスチャパターンデータファイル１４、目地色パターンデータファイル１５用の各パターンデータを作成し、データファイル管理手段１２がそれぞれのパターンデータをそれぞれのパターンデータファイルである表面柄パターンデータファイル１３、テクスチャパターンデータファイル１４、目地色パターンデータファイル１５に記憶する。なお、組合せに必要な基本ファイルの他に、組合せ見本となる組合せ参考パターンデータファイル１６も備えており、ユーザによる設計に対して、便（アドバイス、ヒント）を与えるようにしている。外壁板の柄デザインの設計の過程においては、画像合成手段２０がユーザの選択と指定に従って各パターンデータファイルである表面柄パターンデータファイル１３、テクスチャパターンデータファイル１４、目地色パターンデータファイル１５から各パターンデータを読み出して画像合成する。その際にカラー調製手段１９によって色調製する。画像合成手段２０は、テクスチャパターンデータファイル１４の選択されたテクスチャパターン群の中からランダムにテクスチャデータを読み出して、各凸部に割り当てる。
【００２５】
画像合成手段２０におけるテクスチャパターン作成動作について説明する。
【００２６】
ユーザにより表面柄パターン及びテクスチャパターン群が選択されると、データファイル管理手段１２がテクスチャパターンデータファイル１４からユーザ選択に対応するテクスチャパターン群を選ぶ。つぎに、選ばれたテクスチャパターン群の中のユーザが選んだテクスチャパターンを第１凸部に割り当て、該テクスチャパターン群の中からランダムにテクスチャパターンを読み出して第２凸部に割り当てる。外壁板の概観の主要部を構成する第２凸部には、テクスチャパターン群の中からランダムに選択したテクスチャパターンを割り当てていることから基本的に２つとして同じ外壁板は存在しない。その後、目地色パターンデータファイル１５から各パターンデータを読み出し、カラー調製手段１９によって色調製しながら画像合成する。
【００２７】
デザイン設計が完成すると、システム全体を調製しているシステム調製手段２１を介してそのデザインを発注管理通信手段２２がインターネットを介して建材メーカのサーバ装置などに送信する。
【００２８】
図７は、本発明の一実施例による建築材設計支援システムを用いるサーバ・クライアント運用システムの構成を示す図である。工務店などに設置されるクライアント装置１０から建材メーカに設置されたサーバ装置５２に、ユーザが自ら設計したデザインについての試作画像情報を送信すると、受注管理システム５１は、その通信がそのデザインの外壁板の発注であれば直接に工場の製造管理システム６１に、又は試作依頼であれば試作管理システム６２にそのデザインを送る。製造管理システム６１は受信したデザインの外壁板を製造管理する。試作管理システム６２は受信したデザインの外壁板を試作し、試作品配送システム６３がその試作品のデジタル写真データを、ユーザに送信する。なお、試作見本の実物を、ユーザの手元に届けるようにすることも可能である。このようなシステムにより試作依頼された又は製造依頼されたデザインをクライアントから入手できるので、発注にあたっての意思決定に確実性を与える。
【００２９】
図８は、本発明の一実施例による建築材設計支援システムを用いて設計した試作結果データの例を示す図である。試作品配送システム６３がこれら試作品のデジタル写真データをクライアントに送信する。
【００３０】
図９は、本発明の一実施例による建築材設計支援システムにおける作業メニュー選択画面の例を示す図である。この作業メニュー選択画面は、表面柄パターンを選択する作業に進むための表面柄ボタン７１、テクスチャパターン群を選択する作業に進むためのテクスチャパターンボタン７２、目地色パターンを選択する作業に進むための目地色ボタン７３、及び完成デザインを建材メーカのサーバ装置５２に送信する作業に進むための通信画面へボタン７４を備える。
【００３１】
図１０は、本発明の一実施例による建築材設計支援システムにおける表面柄パターン選択画面の例を示す図である。この表面柄パターン選択画面は、パターン表示ウインドウＰＤ、サンプル選択ボタン８１、スクロールバー８２、ジョグダイヤル８３、表示ボタン８４、決定ボタン８５、作業選択画面へ戻るボタン８６、及びスクロールバー８７を備える。スクロールバー８２でサンプル選択ボタン８１をスクロールしてサンプル選択ボタン８１を選択して、表示ボタン８４をクリックと、パターン表示ウインドウＰＤに外壁板の表示柄パターンが表示される。この表示はスクロールバー８７でスクロールすることができる。ジョグダイヤル８３によって、表示されている表面柄パターンのカラー調製をすることができる。目地部は例えばグレーの仮色表示をしておく。この表面柄パターンでよければ、決定ボタン８５をクリックして確定して、作業選択画面へ戻るボタン８６をクリックして、作業選択画面に戻る。
【００３２】
図１１は、本発明の一実施例による建築材設計支援システムにおけるテクスチャパターン群選択画面の例を示す図である。このテクスチャパターン群選択画面は、パターン表示ウインドウＰＤ、テクスチャパターン群選択ボタン９１、スクロールバー９２、表示ボタン９６、決定ボタン９７、作業選択画面へ戻るボタン９８、及びスクロールバー９９を備える。スクロールバー９２でテクスチャパターン群選択ボタン９１をスクロールしてテクスチャパターン群選択ボタン９１を選択して、表示ボタン９６をクリックすると、パターン表示ウインドウＰＤに、例えば表面柄パターンＡ１の第１凸部には所定のテクスチャパターンデータを割り当てて、第２凸部にはテクスチャパターン群Ｂ１の各テクスチャパターンデータをランダムに割り当てた合成画像が表示される。この表示はスクロールバー９９でスクロールすることができる。この表面柄パターン及びテクスチャパターンでよければ、決定ボタン９７をクリックして確定して、作業選択画面へ戻るボタン９８をクリックして、作業選択画面に戻る。
【００３３】
図１２は、本発明の一実施例による建築材設計支援システムにおける目地色パターン選択画面の例を示す図である。この目地色パターン選択画面は、パターン表示ウインドウＰＤ、サンプル選択ボタン１０１、希望試作番号入力欄１０２、表示ボタン１０３、決定ボタン１０４、表面柄選択画面へ戻るボタン１０５、作業選択画面へ戻るボタン１０６、及びスクロールバー１０７を備える。サンプル選択ボタン１０１を選択し、希望試作番号を入力して、表示ボタン９６をクリックすると、パターン表示ウインドウＰＤに、例えば表面柄パターンＡ１に凸部テクスチャパターンＢ１及び目地色パターンＣ１を選択した合成画像が表示される。この表示はスクロールバー１０７でスクロールすることができる。この表面柄パターン、凸部テクスチャパターン及び目地色パターンでよければ、決定ボタン１０４をクリックして確定して、表面柄選択画面へ戻るボタン１０５をクリックして次のデザインに進むか、又は作業選択画面へ戻るボタン９８をクリックして、作業選択画面に戻る。
【００３４】
図１３は、本発明の一実施例による建築材設計支援システムにおける通信連絡画面の例を示す図である。この通信連絡画面は、試作サンプル画像表示ウインドウＳＤ、希望試作番号表示欄１１１、スクロールバー１１２、試作依頼ボタン１１３、発注ボタン１１４、通信連絡ボタン１１５、及び終了ボタン１１６を備える。スクロールバー１１２で希望試作番号をスクロールして希望試作番号を選択し、試作サンプル画像表示ウインドウＳＤでサンプルを確認して、試作依頼ボタン１１３をクリックして試作を依頼するか、又は発注ボタン１１４をクリックして発注する。実際には通信連絡ボタン１１５をクリックして通信を開始する、作業が終われば終了ボタン１１６をクリックしてプログラムを終了する。
【００３５】
なお、本発明は上記実施例に限定されるものではない。
【００３６】
本発明の建築材設計支援システムは、コンピュータを本建築材設計支援システムとして機能させるためのプログラムでも実現される。このプログラムは、コンピュータで読み取り可能な記録媒体に格納されていてもよい。
【００３７】
このプログラムを記録した記録媒体は、図６に示されるクライアント装置１０のＲＯＭそのものであってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００３８】
また、上記記録媒体は、磁気テープ、カセットテープ、フレキシブルディスク、ハードディスク、ＭＯ／ＭＤ／ＤＶＤ等、又は半導体メモリであってもよい。
【図面の簡単な説明】
【００３９】
【図１】本発明の一実施例による建築材設計支援システムで設計された外壁板外観の表示例を示す図である。
【図２】本発明の一実施例による建築材設計支援システムで設計した１枚の外壁板の例を示す図である。
【図３】本発明の一実施例による建築材設計支援システムでシミュレートされた外壁板外観の表示例を示す図である。
【図４】本発明の一実施例による建築材設計支援システムで用いる表面柄パターンの例を示す図である。
【図５】本発明の一実施例による建築材設計支援システムで用いるテクスチャパターンの例を示す図である。
【図６】本発明の一実施例による建築材設計支援システムの構成を示す図である。
【図７】本発明の一実施例による建築材設計支援システムを用いるサーバ・クライアント運用システムの構成を示す図である。
【図８】本発明の一実施例による建築材設計支援システムを用いて設計した試作結果データの例を示す図である。
【図９】本発明の一実施例による建築材設計支援システムにおける作業メニュー選択画面の例を示す図である。
【図１０】本発明の一実施例による建築材設計支援システムにおける表面柄パターン選択画面の例を示す図である。
【図１１】本発明の一実施例による建築材設計支援システムにおけるテクスチャパターン群選択画面の例を示す図である。
【図１２】本発明の一実施例による建築材設計支援システムにおける目地色パターン選択画面の例を示す図である。
【図１３】本発明の一実施例による建築材設計支援システムにおける通信連絡画面の例を示す図である。
【符号の説明】
【００４０】
１０  クライアント装置
１１  データファイル作成手段
１２  データファイル管理手段
１３  表面柄パターンデータファイル
１４  テクスチャパターンデータファイル
１５  目地色パターンデータファイル
１６  組合せ参考パターンデータファイル
１７  キーボード
１８  マウス
１９  カラー調製手段
２０  画像合成手段
２１  システム調製手段
２２  発注管理通信手段
３０  デジタルカメラ
４０  ディスプレー
５１  受注管理システム
５２  サーバ装置
６１  製造管理システム
６２  試作管理システム
６３  試作品配送システム
７１  表面柄ボタン
７２  テクスチャパターンボタン
７３  目地色ボタン
７４  通信画面へボタン
８１  サンプル選択ボタン
８２  スクロールバー
８３  ジョグダイヤル
８４  表示ボタン
８５  決定ボタン
８６  作業選択画面へ戻るボタン
８７  スクロールバー
９１  テクスチャパターン群選択ボタン
９２  スクロールバー
９６  表示ボタン
９７  決定ボタン
９８  作業選択画面へ戻るボタン
９９  スクロールバー
１０１  サンプル選択ボタン
１０２  希望試作番号入力欄
１０３  表示ボタン
１０４  決定ボタン
１０５  表面柄選択画面へ戻るボタン
１０６  作業選択画面へ戻るボタン
１０７  スクロールバー
１１１  希望試作番号表示欄
１１２  スクロールバー
１１３  試作依頼ボタン
１１４  発注ボタン
１１５  通信連絡ボタン
１１６  終了ボタン
ＣＵ  表面柄ユニット
ＰＤ  パターン表示ウインドウ
ＳＤ  試作サンプル画像表示ウインドウ
♯１〜♯９  外壁板
♯Ａ1L、♯Ａ1R、♯Ａ2L、♯Ａ2R、Ｂ１Ｌ、Ｂ２Ｌ、Ｂ３Ｌ、Ｂ１Ｒ、Ｂ２Ｒ、Ｂ３Ｒ  第１凸部
♯ａ1〜♯ａ22  第２凸部
【図１】
2006233471.tif 000003
【図４】
2006233471.tif 000004
【図５】
2006233471.tif 000005
【図６】
2006233471.tif 000006
【図７】
2006233471.tif 000007
【図８】
2006233471.tif 000008
【図９】
2006233471.tif 000009
【図１０】
2006233471.tif 000010
【図１１】
2006233471.tif 000011
【図１２】
2006233471.tif 000012
【図１３】
2006233471.tif 000013
【図２】
2006233471.tif 000014
【図３】
2006233471.tif 000015